(57)【要約】    【課題】ノズル側に設けても十分な有効濾過面積を確保することで目詰りに強くする。    【解決手段】消火ノズル１４を続続した消火配管５の中に、流入側の端面が閉じ流出側の端面が開口した屈曲性をもつ円筒形のストレーナ濾過部材２を固定配置する。ストレーナ濾過部材２は、消火ノズル１４の開口面積の２倍を越える有効濾過面積を確保する管路方向の長さを有する。ストレーナ濾過部材２は、例えば金属網で構成され、この金属網は上下左右方向に撓み変形自在な網目構造、例えばバイアス織り構造を備える。    【選択図】      図３
2007105484.tif 000002
【特許請求の範囲】
【請求項１】
配管の中に、流入側の端面が閉じた屈曲性をもつ筒形のストレーナ濾過部材を固定配置したことを特徴とするストレーナ装置。
【請求項２】
請求項１記載のストレーナ装置に於いて、前記ストレーナ濾過部材は、消火用水の散水時に予想される所定量のゴミの流入に対し、前記消火ノズルの開口面積の２倍を越える有効濾過面積を確保する管路方向の長さを有することを特徴とするストレーナ装置。
【請求項３】
請求項１又は２記載のストレーナ装置に於いて、前記ストレーナ濾過部材は、金属網で構成され、前記金属網は上下及び左右方向に撓み変形自在な網目構造を備えたことを特徴とするストレーナ装置。
【請求項４】
請求項１又は２記載のストレーナ装置に於いて、前記ストレーナ濾過部材は、合成樹脂製の円筒枠体と、該円筒枠体の流入側端面及び円筒面に装着された合成樹脂製又は合成繊維製の網部材で構成されたことを特徴とするトレーナ装置。
【請求項５】
請求項４記載のストレーナ装置に於いて、前記円筒枠体は、流入側の端面に、消火配管に前記ストレーナ濾過部材を嵌め入れる際に案内する案内片を形成したことを特徴とするストレーナ装置。
【請求項６】
請求項１又は２記載のストレーナ装置に於いて、前記ストレーナ濾過部材は、ゴム製の円筒枠体と、該円筒枠体の流入側端面及び円筒面に一体に形成されたゴム製の網部材で構成されたことを特徴とするストレーナ装置。
【請求項７】
請求項１又は２記載のストレーナ装置に於いて、前記ストレーナ濾過部材は、流入側を閉鎖し流出側を開口した合成樹脂製又は合成繊維製の細長い網袋と、前記網袋の内部に収納され前記網袋を円筒形状に保持するコイルバネとで構成されたことを特徴とするストレーナ装置。
【請求項８】
請求項１又は２記載のストレーナ装置に於いて、前記ストレーナ濾過部材は、流入側を閉鎖すると共に流出側を開口し、長手方向に合成樹脂製の網目部と蛇腹部と交互に連設したことを特徴とするストレーナ装置。
【請求項９】
請求項１乃至８のいずれかに記載のストレーナ装置に於いて、前記瀘過部材は、消火ノズルの配管取付ねじ部に前記円筒体の開口側を固定したことを特徴とするストレーナ装置。
【請求項１０】
請求項１乃至８のいずれかに記載のストレーナ装置に於いて、前記瀘過部材は、消火ノズルと消火配管の接続に使用される継手管に前記円筒体の開口側を固定したことを特徴とするストレーナ装置。
【発明の詳細な説明】
【技術分野】
【０００１】
本発明は、配管に設けられたノズルに供給する用水に含まれるゴミを除去するためのストレーナ装置に関する。
【背景技術】
【０００２】
消火設備に用いるストレーナ装置としては、例えば図９に示すものがある。ストレーナ本体１０１は、フランジ１０２，１０３によって消火用配管の主管部分に接続される。ストレーナ本体１０１の中には図１０の断面図のように、金属円筒体に網穴を打ち抜き形成したこし網１０４が収納されている。
【０００３】
消火用水は、ストレーナ本体１０１内のこし網１０４を通過しながら矢印で示す方向に流れ、消火配管内のゴミなどは、こし網１０４により、瀘過される。こし網１０４は、ボルト１０５により蓋１０６を外すことで、外に取り外して清掃することができる。
【０００４】
また消火ノズルとしては、図１１に示すようなものがある（特開平５−７６３３号）。図１１は、ヒュージブルリンク式の消火ノズルであり、ノズル本体１１６は消火用配管１１５にねじ込まれている。ノズル本体１１６には、放出口１１７が形成され、放出口１１７に設けられた栓１１８と、デフレクター１１９との間に、一対のレバー１１０Ａ，１１０Ｂを接触点１１１Ａ，１１１Ｂ，１１１Ｃによって係止し、栓１１８を閉鎖状態に支持している。レバー１１０Ａとレバー１１０Ｂは、感熱体としてのヒューズ１１３で固着された一対のリンク１１２が装着され、栓１１８の閉鎖状態を維持している。
【０００５】
火災の発生による温度上昇でヒューズ１１３が溶けると、一対のリンク１１２が矢印で示すように分解し、レバー１１０Ａ，レバー１１０Ｂの係止が解除され、水圧によってレバー１１０Ａ，レバー１１０Ｂがはじけ、放出口１１７から噴出し、散水が開始される。このとき、放出口１１７から噴出した水は、デフレクター１１９に当たって防護範囲全体に均一に散水される。
【特許文献１】実願昭６０−１０２０２８号（実開平６２−０９９２５９号）のマイクロフィルム
【特許文献２】実願平０１−０３０４４３号（実開平０２−１２１１１１号）のマイクロフィルム
【発明の開示】
【発明が解決しようとする課題】
【０００６】
このような従来の消火設備において、ストレーナ装置は、主に消火用配管の主管部分に挿入され、定期的に点検・清掃することになっている。しかしながら、消火設備の消火用配管は、火災に備え常に消火用水が加圧された状態で満たされているものの、常に流れていないため、錆などが徐々に発生することがある。
【０００７】
このため火災により消火ノズルが作動した場合、ノズル付近の消火配管内に発生した錆や、設置時に混入した消火配管の切削カス、溶接カス、シールテープカスなどがデフレクターに付着し、その影響で、期待した放水範囲を防護できず、消火設備が有効に機能できないという問題があった。
【０００８】
この問題を解決するため、消火ノズルそのものにストレーナ装置を設けたものも存在する。例えば図１１の消火ノズルを例にとると、消火配管１１５に接続するノズル本体１１６の内部にストレーナ装置を設けることが考えられる。しかし、ストレーナ装置を設けることのできる消火ノズル内部のスペースは制限されており、ストレーナ装置に必要な十分な濾過面積を確保することが困難である。
【０００９】
このため消火用水に含まれるゴミなどによってストレーナ装置が短時間で目詰りを起し、消火ノズルからの散水量が減少して消火性能が低下する恐れがあった。
【００１０】
本発明は、このような従来の問題点に鑑みてなされたもので、ノズル側に設けても十分な有効濾過面積を確保することで目詰りに強いストレーナ装置を提供することを目的とする。
【課題を解決するための手段】
【００１１】
この目的を達成するため本発明は次のように構成する。本発明のストレーナ装置は、消火ノズルを接続した消火配管の中に、流入側の端面が閉じ流出側の端面が開口した屈曲性をもつ円筒形のストレーナ濾過部材を固定配置したことを特徴とする。ここで、ストレーナ濾過部材は、消火用水の散水時に予想される所定量のゴミの流入に対し、消火ノズルの開口面積の２倍を越える有効濾過面積を確保する管路方向の長さを有する。
【００１２】
このような本発明のストレーナ装置によれば、消火配管内のゴミが消火ノズルに侵入しないため、目詰まりなどにより消火ノズルの機能に支障をきたすことがない。またストレーナ濾過部材を消火ノズルを接続している消火配管の中に位置させることで、十分に長くすることができ、相当量のゴミが配管内部に堆積したとしても、消火ノズルの性能に必要な有効瀘過面積を確保し、長期にわたり信頼性を確保できる。
【００１３】
特に、消火配管の先端を９０度屈曲して消火ノズルを接続している場合にあっても、ストレーナ濾過部材は屈曲性をもっているため、屈曲した配管内にも撓み変形して容易に配置できる。
【００１４】
ストレーナ濾過部材は、例えば金属網で構成され、この金属網は上下左右方向に撓み変形自在な網目構造、例えばバイアス織り構造を備える。またストレーナ濾過部材は、合成樹脂性の円筒枠体と、円筒枠体の流入側端面及び円筒面に装着された合成樹脂製又は合成繊維製の網部材で構成することもできる。この場合、円筒枠体は、流入側の端面に、消火配管にストレーナ濾過部材を嵌め入れる際に案内する案内片を形成し、屈曲配管であっても容易に装着可能とする。
【００１５】
またストレーナ濾過部材は、ゴム製の円筒枠体と、この円筒枠体の流入側端面及び円筒面に一体に形成されたゴム製の網部材で構成してもよい。このように合成樹脂、合成繊維、ゴムで構成することで、耐腐食性、耐薬品性が向上する。
【００１６】
またストレーナ濾過部材は、流入側を閉鎖し流出側を開口した合成樹脂製又は合成繊維製の細長い網袋と、この網袋の内部に収納され網袋を円筒形状に保持するコイルバネとで構成してもよい。このように網袋とコイルバネを使用することで、構造が簡単で作り易くなり、コストを更に低減でき、また屈曲配管に対してはコイルバネが自由に湾曲して容易に装着でき、更にコイルバネによって確実に網袋を円筒形状で保持し、つぶれないようにする。
【００１７】
更に、ストレーナ濾過部材は、流入側を閉鎖すると共に流出側を開口し、長手方向に合成樹脂製の網目部と蛇腹部と交互に連設した構造としてもよい。このように網目部と蛇腹部と交互に連設した一体化構造により、配管内に装着する際の屈曲性と円筒網形状の保持が確実にでき、製造コストも低減できる。
【００１８】
ストレーナ瀘過部材は、消火ノズルの消火配管取付ねじ部に円筒体の開口側を固定する。また瀘過部材は、消火ノズルと消火配管の接続に使用される継手管に円筒体の開口側を固定してもよい。
【発明の効果】
【００１９】
本発明によれば、消火ノズル側に屈曲可能な筒状のストレーナ装置を設けたことで消火配管内のゴミが消火ノズルに侵入せず、ノズル内での目詰まりやノズルの機能に支障を起こすことなく、高い信頼性が得られる。
【００２０】
またストレーナ瀘過部材を消火ノズルを接続している消火配管の内部に位置させることで、十分な長さを確保することができ、相当量のゴミが流入しても目詰まりを起こすことなく、消火ノズルの性能に十分な有効瀘過面積を確保することができ、長期に亘り信頼性を確保できる。
【００２１】
更に消火配管の先端を９０度屈曲して消火ノズルを接続している場合にあっても、ストレーナ瀘過部材は屈曲性をもっているため、屈曲した配管内にも撓み変形して容易に設置することができる。更にストレーナ瀘過部材を金属網に代えて合成樹脂もしくはゴムで成形することで、耐腐食性と耐薬品性を向上することができる。
【発明を実施するための最良の形態】
【００２２】
図１は本発明によるストレーナ装置の実施形態の説明図であり、図１（Ａ）に監視状態を示し、図１（Ｂ）に火災による熱を受けて動作した状態を示す。
【００２３】
図１（Ａ）において、消火設備から防護区画に引き出された消火配管５の先端には、継手管６を介して消火ノズル７が取り付けられている。消火ノズル７は配管取付ねじ部８に継手管６をねじ込み固定しており、流入路７ａに下方より栓９を挿入して流路を閉鎖しており、栓９の閉鎖状態は消火ノズル７の下部に突出して設けた感熱分解部１０により支持固定されている。
【００２４】
感熱分解部１０が火災による熱を受けて脱落分解すると、図１（Ｂ）のように内部に保持していたヘッド１１が下降し、このヘッド１１の下降に伴い、流入路７ａを閉鎖していた栓９が下降して流路を開くようになる。ヘッド１１は消火用水を防護範囲全域の内の所定部分に集中的に散水するものであり、消火ノズル７内に通る消火用水の水流の力を利用してヘッド１１が回転し防護範囲全域の放水を行う消火用水ノズルである。消火ノズル７の配管取付ねじ部８の流入路側には、本発明によるストレーナ装置１が装着されている。
【００２５】
ストレーナ装置１は、網目構造をもった円筒体であるストレーナ瀘過部材２を有し、ストレーナ瀘過部材２の網目状の円筒部２ａに対し、上部に位置する流入側端部２ｂは網目構造で閉鎖されており、消火ノズル７側となる流出側端部２ｃは開放している。ストレーナ瀘過部材２の流出端部２ｃには、リング状の取付部４が固着され、この取付部４を消火ノズル７の配管取付ねじ部８の開口部に例えば圧入することで、消火ノズル７の流入側にストレーナ装置１が固定される。
【００２６】
消火ノズル７の配管取付ねじ部８に流出側を固定したストレーナ装置１は、その円筒形状を持ったストレーナ瀘過部材２を消火配管５及び継手管６の配管内に位置させている。ここでストレーナ装置１における配管内に配置された網目構造をもつストレーナ瀘過部材２の長さＬは、消火ノズル７における栓９を装着した流入路７ａの開口面積に対し、ストレーナ瀘過部材２の有効瀘過面積が例えば約３０倍となるように決めており、例えばＬ＝１００ｍｍ程度の長さを持っている。なお、有効濾過面積とは、網目の開口穴の総面積のことをいう。
【００２７】
図２は、図１のストレーナ装置１を構成するストレーナ瀘過部材２の網目構造を拡大して取り出している。図２（Ａ）は、ストレーナ瀘過部材２の一部を拡大しており、この実施形態にあっては、金網として平織金網１２を使用している。この平織金網は、例えば金網の線径が０．１〜０．３ｍｍφ、２．５４ｃｍ当たり（１インチ当たり）の線数を２０〜３０本、網目の開口穴面積比を４０〜６０％とする。
【００２８】
更に、平織金網１２を構成する縦線と横線が図示のように左右斜め４５度方向に交差するように配置したバイアス織りとし、交差点の金網同士はくっついておらず、自由に動ける状態で接触しているので、図２（Ｂ）（Ｃ）のように、上下方向及び左右方向の応力に対し金網自体がある程度撓むことができる。この結果、本発明のストレーナ装置１は消火ノズルを接続している消火配管が屈曲していても、撓み変形する網目構造を持つストレーナ瀘過部材２を、円筒形状を保ったまま屈曲した配管内に配置することができる。
【００２９】
図３は消火ノズルを消火配管に対し９０度屈曲した位置に設置した場合の本発明の実施形態である。この実施形態にあっては、水平配置された消火配管５の先端にエルボ継手管１３を介して９０度屈曲する方向に消火ノズル１４を接続している。消火ノズル１４は、図９の従来例に示したと同じヒュージブルリンク式の消火ノズルを例にとっている。
【００３０】
この消火ノズル１４についても、ストレーナ装置１のストレーナ瀘過部材２は、流出側に設けた取付部４を消火ノズル１４の配管取付ねじ部１５の内側に固定され、ストレーナ瀘過部材２はエルボ継手管１３の部分で９０度屈曲され、水平配置された消火配管５の中に位置している。このようにストレーナ装置のストレーナ瀘過部材２が９０度屈曲した状態で配置されても、図２（Ａ）〜（Ｃ）のように上下左右の応力に対し平織金具１２を用いた網目部分は菱形の網目形状を変化させることで変形し、ストレーナ瀘過部材２の円筒形状を維持したまま潰れることなく、９０度屈曲した状態で配管内に配置することができる。
【００３１】
この図３の実施形態においても、屈曲状態で配置されたストレーナ瀘過部材２の中心線の配管内の長さＬが、図１の場合と同様、消火ノズル１４の開口部１４ａの開口面積の約３０倍となるように、例えばＬ＝１００ｍｍ程度の長さとしている。
【００３２】
次に図１もしくは図３に示した本発明のストレーナ装置１の機能を説明する。本願発明者にあっては、消火設備を使用した実験で、図３のようにストレーナ装置１を内蔵した消火ノズルを５ヶ所に設置し、配管内部にゴミが存在する状態で５ヶ所に設けた消火ノズルから９０秒間放水を行った。この放水により各消火ノズルの配管内部には約１１１〜８２９ｍｍ3の容積のゴミが流入し、ゴミの総容積は約２５９６ｍｍ3であった。
【００３３】
この放水実験にあっては、５ヶ所の消火ノズルからの散水量に特に変化は見られず、消火ノズルにゴミが流入しても本発明のストレーナ装置１により流入したゴミが除去され、且つストレーナ装置１にゴミが付着しても十分な有効瀘過面積が確保され、消火ノズルからの散水量に変化が起きないことが確認された。
【００３４】
この放水実験では５ヶ所の消火ノズルから放水しているが、同じゴミ総容量に対し１ヶ所の消火ノズルから放水して約２５９６ｍｍ3のゴミ総容量が一度に流入したとしても、消火ノズルの口径面積の約３０倍の有効瀘過面積が初期状態で確保されており、ゴミが流入した後も消火ノズルの口径面積の約８．４倍の有効瀘過面積が確保された。
【００３５】
実際の消火にあっては、消火ノズルの口径面積の約２倍の有効瀘過面積が確保できれば消火ノズルの性能を維持することができ、この結果、本発明のストレーナ装置１にあっては、消火ノズル側に設置してもゴミの流入に対し問題なくノズルの消火性能を確保することが確認された。
【００３６】
図４は本発明のストレーナ装置の他の実施形態であり、この実施形態にあっては、ストレーナ装置を合成樹脂で成形するようにしたことを特徴とする。
【００３７】
図４において、消火ノズル１４は継手管６を介して消火配管５の先端に接続されており、消火ノズル１４の内部流入側に合成樹脂製のストレーナ装置１が配置されている。このストレーナ装置１は、合成樹脂製の円筒枠体１７と網部材１８で構成される。円筒枠体１７は、管路方向に配置されたリング部１７ａを例えば３ヶ所に配置し、リング部１７ａを縦方向の柱部１７ｂで連結して枠体を構成している。
【００３８】
円筒枠体１７の円周面及び流入側の面には、それぞれ網部材１８が設けられている。網部材１８は合成樹脂製の網を円筒枠体１７と一体に成形してもよいし、合成樹脂製の円筒枠体１７に合成繊維の網部材１８を埋め込み成形してもよい。円筒枠体１７の消火ノズル１４側の流出側には取付部１９が一体に成形されている。
【００３９】
また円筒枠体１７の流入側には、図４（Ｂ）に取り出して示すように、流入側開口端部についても網部材１８が設けられ、更に流入側端部のリング部１７ａに対し流入側に対し三角形に尖った案内片２０を一体に形成している。案内片２０は、ストレーナ装置１を消火配管５に挿入する際のガイド機能を果たす。
【００４０】
例えば図３のような消火配管５に対し９０度屈曲した位置に消火ノズル１４を設置する場合、図４のストレーナ装置１を９０度屈曲したエルボ継手管１３を介して消火配管５に挿入すると、先端の案内片２０がガイドとなって滑らかにストレーナ装置１が挿入できるようにしている。
【００４１】
この図４の合成樹脂製のストレーナ装置１によれば、定常監視状態で閉鎖状態にある消火ノズル１４に対する消火用水が充満された配管内にストレーナ装置１が配置されており、長期間にわたって消火用水の中に置かれても、合成樹脂で作られていることから、耐腐食性、耐薬品性が確保され、網部材１８が破損したり破れたりすることなく、火災時の消火用水の流入に対しゴミを除去する瀘過機能を確実に果たすことができる。
【００４２】
図５は図４と同じ合成樹脂製のストレーナ装置１の他の実施形態であり、この実施形態にあっては、ストレーナ装置１を消火配管５と消火ノズル１４を接続する継手管６に固定するようにしたことを特徴とする。即ち、ストレーナ装置１は合成樹脂製の円筒枠体１７と同じく合成樹脂製もしくは合成繊維を作られた網部材１８で構成されており、円筒枠体１７の消火ノズル１４側となる流出側に取付部１９を一体に形成しており、この取付部１９が継手管６に対する圧入で固定されている。
【００４３】
図６は本発明の他の実施形態となるゴム製のストレーナ装置で使用するゴム製ストレーナ瀘過部材２１を部分的に取り出している。このゴム製のストレーナ装置１は、図４，図５に示したと同じ合成樹脂製のストレーナ装置１と基本的に同じ構造を備えている。即ち、円筒枠体１７、網部材１８、取付部１９及び案内片２０がゴムで一体に形成され、網部材１８の部分が図６に取り出して示すようにゴム製ストレーナ瀘過部材２１で構成されている。ゴム製ストレーナ瀘過部材２１は、例えば開口面積が４０〜６０％となるように網目開口２２を備えている。
【００４４】
このゴム製ストレーナ瀘過部材２１を網目部材に使用したストレーナ装置についても、ゴム製ストレーナ瀘過部材２１は屈曲性を有することから、図３のような屈曲配管に対する組付けも容易にでき、また図４，図５の合成樹脂製のストレーナ装置と同様、配管内の消火用水の中に長期間に亘って組み込まれていても、耐腐食性、耐薬品性が十分に確保され、火災時のゴミの流入に対し瀘過機能を確実に果たすことができる。
【００４５】
図７は合成樹脂製のストレーナ装置の他の実施形態であり、この実施形態にあっては、合成樹脂製の網袋とコイルバネを使用したことを特徴とする。
【００４６】
図７において、消火ノズル１４は継手管６を介して消火配管５の先端に接続されており、消火ノズル１４の内部流入側に合成樹脂製のストレーナ装置１が配置されている。このストレーナ装置１は、合成樹脂製のストレーナ取付部材３０、網袋３２、及びコイルバネ３４で構成される。
【００４７】
ストレーナ取付部材３０は、流入側に段付円筒形状のバネ取付部３０ａを形成し、コイルバネ３４の一端を支持しており、流出側に円筒状のノズル取付部３０ｂを形成し、配管取付ねじ部１５の中に圧入固定されている。
【００４８】
網袋３２は、合成樹脂製の網目シートを巻き、流入側を閉じて閉鎖端部３２ａとし、流出側は開口して開口端部３２ｂとしており、開口端部３２ｂをストレーナ取付部材３０のバネ取付部３０ａの外側に嵌め入れ、接着等により固着している。網袋３２に使用する合成樹脂製の網目シートとしては、例えば１インチ当り３０〜５０メッシュ（＃３０〜＃５０）程度のものを使用する。
【００４９】
この細長い網袋３２の内部には、コイルバネ３４がストレーナ取付部材３０のバネ取付部３０ａに対する支持で配置され、網袋３２を図示のように、円筒形状に保持している。
【００５０】
この図７の合成樹脂製のストレーナ装置１によれば、定常監視状態で閉鎖状態にある消火ノズル１４に対する消火用水が充満された配管内にストレーナ装置１が配置されており、長期間にわたって消火用水の中に置かれても、合成樹脂で作られていることから、耐腐食性、耐薬品性が確保され、網部材１８が破損したり破れたりすることなく、火災時の消火用水の流入に対しゴミを除去する瀘過機能を確実に果たすことができる。
【００５１】
また、網袋３２の中にコイルばね３４を入れた構造のため消火配管内の水圧により網袋３２がつぶれて配管内をつまらせることがない。また、図３のような屈曲した配管にも容易に取り付けることができる。
【００５２】
また細長い網袋３２の中にコイルバネ３４を入れてストレーナ取付部材３０により配管内に配置するという簡単な構造で済み、低コストで容易に実現できる。
【００５３】
尚、コイルバネ３４としては、合成樹脂の代わりに、ステンレス等の錆にくい金属製のコイルバネを使用してもよい。
【００５４】
図８は合成樹脂製のストレーナ装置の他の実施形態であり、この実施形態にあっては、合成樹脂製の網目部と蛇腹部の連設構造としたことを特徴とする。
【００５５】
図８において、消火ノズル１４は継手管６を介して消火配管５の先端に接続されており、消火ノズル１４の内部流入側に合成樹脂製のストレーナ装置１が配置されている。このストレーナ装置１は、合成樹脂製のストレーナ取付部４０に続いて網目部４２と蛇腹部４４を交互に連設し、更に、流入側に位置する先端に、円錐状の案内部４６を設けた構造としている。
【００５６】
即ち、ストレーナ取付部材４０は円筒形状をもち、配管取付ねじ部１５の中に圧入固定されている。ストレーナ取付部４０に続き網目部４２と蛇腹部４４を交互に連設し、更に案内部４４を設けた構造は、ストレーナ装置１を成型する金型の中に、合成樹脂製の網目シートを円筒状に巻いて複数セットし、この状態でストレーナ取付部４０、各蛇腹部４２及び案内部４４を射出成形することで一体に作られる。網目部４２に使用する合成樹脂製の網目シートは、例えば１インチ当り３０〜５０メッシュ（＃３０〜＃５０）程度のものを使用する。
【００５７】
ストレーナ装置１の複数箇所に形成された蛇腹部４４は、網目部４２を円筒形状に保持すると共に、消火配管５が図３のように屈曲している場合に、長手方向に湾曲させる。
【００５８】
この図８の合成樹脂製のストレーナ装置１によれば、定常監視状態で閉鎖状態にある消火ノズル１４に対する消火用水が充満された配管内にストレーナ装置１が配置されており、長期間にわたって消火用水の中に置かれても、合成樹脂で作られていることから、耐腐食性、耐薬品性が確保され、網部材１８が破損したり破れたりすることなく、火災時の消火用水の流入に対しゴミを除去する瀘過機能を確実に果たすことができる。
【００５９】
尚、上記の実施形態は、ストレーナ装置の網目構造を持ったストレーナ瀘過部材の配管内の長さＬを消火ノズル側の口径面積の約３０倍となる有効瀘過面積が確保できるように決めているが、本発明はこれに限定されず、ストレーナ装置１の網目構造を持ったストレーナ瀘過部材が消火ノズル側もしくは消火ノズル側に位置する継手管に端部を固定し、この片持状態で瀘過部材の部分が配管内に延在して位置している構造であれば、配管内の長さＬは必要に応じて適宜に定めることができる。
【００６０】
また合成樹脂製のストレーナ装置では合成樹脂製の網目シートを使用しているが、合成繊維の網目シートを使用してもよい。
【００６１】
また本発明の実施形態にあっては、図１の可動型のヘッドを備えた消火ノズル７や図３のヒュージブルリンク型の消火ノズル１４を例にとるものであったが、消火ノズルの形式や構造に限定されないことはもちろんである。
【００６２】
また、理解の容易なように具体的な例として消火設備における消火用配管に用いた場合について説明したが、消火用配管に限定されない。
【図面の簡単な説明】
【００６３】
【図１】本発明の消火用散水ノズルを示す図
【図２】弁開度と散水量の変化を示すグラフ
【図３】二つの散水ノズルの弁開度と散水量の変化を示すグラフ
【図４】スプリンクラー消火設備を示す図
【図５】図５で用いる散水ノズルの閉弁時の断面図
【図６】図５で用いられる散水ノズルの開弁時の断面図
【図７】従来の消火設備を示す図
【図８】従来の散水ノズルを示す図
【図９】消火配管の本管部分に設置される従来のストレーナ装置の説明図
【図１０】図９のストレーナ装置の断面図
【図１１】従来の消火ノズルの説明図
【符号の説明】
【００６４】
３１：空気供給配管
３２：給水配管
３４：空気タンク室（第１のタンク室）
３６：水タンク室（第２のタンク室）
３７：第１の電動弁（第１の開閉弁）
３８：ノズル部
３９：第２の電動弁（第２の開閉弁）
４２：防災制御盤
４３：開閉制御信号発生部
４４：火災感知器
６５：散水ノズル
８０：ボディ
８１：放水孔
８３：可動筒
８４：外筒
９５：鋼球
【図１】
2007105484.tif 000003
【図２】
2007105484.tif 000004
【図３】
2007105484.tif 000005
【図４】
2007105484.tif 000006
【図５】
2007105484.tif 000007
【図６】
2007105484.tif 000008
【図７】
2007105484.tif 000009
【図８】
2007105484.tif 000010
【図９】
2007105484.tif 000011
【図１０】
2007105484.tif 000012
【図１１】
2007105484.tif 000013
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
先端に消火ノズルを接続した消火配管の中に、ゴム製の円筒枠体と、該円筒枠体の流入側端面及び円筒面に一体に形成されたゴム製の網部材とで構成した流入側の端面が閉じた屈曲性をもつストレーナ濾過部材を固定配置したことを特徴とする消火設備用ストレーナ装置。
【請求項２】
先端に消火ノズルを接続した消火配管の中に、流入側を閉鎖し流出側を開口した合成樹脂製又は合成繊維製の細長い網袋と、前記網袋の内部に収納され前記網袋を筒形状に保持するコイルバネとで構成した屈曲性をもつストレーナ濾過部材を固定配置したことを特徴とする消火設備用ストレーナ装置。
【請求項３】
先端に消火ノズルを接続した消火配管の中に、流入側を閉鎖すると共に流出側を開口し、長手方向に合成樹脂製の網目部と蛇腹部と交互に連設した屈曲性をもつ筒形のストレーナ濾過部材を固定配置したことを特徴とする消火設備用ストレーナ装置。
手続補正２の段落番号は出願後のものを確認のこと
【手続補正２】
【補正対象書類名】明細書
【補正対象項目名】００１４
【補正方法】変更
【補正の内容】
【００１４】
ストレーナ濾過部材は、合成樹脂性の円筒枠体と、円筒枠体の流入側端面及び円筒面に装着された合成樹脂製又は合成繊維製の網部材で構成することもできる。この場合、円筒枠体は、流入側の端面に、消火配管にストレーナ濾過部材を嵌め入れる際に案内する案内片を形成し、屈曲配管であっても容易に装着可能とする。
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
先端にノズルを接続した配管の中に、ゴム製の円筒枠体と、該円筒枠体の流入側端面及び円筒面に一体に形成されたゴム製の網部材とで構成した流入側の端面が閉じた屈曲性をもつストレーナ濾過部材を固定配置したことを特徴とするストレーナ装置。
【請求項２】
先端にノズルを接続した配管の中に、流入側を閉鎖し流出側を開口した合成樹脂製又は合成繊維製の細長い網袋と、前記網袋の内部に収納され前記網袋を筒形状に保持するコイルバネとで構成した屈曲性をもつストレーナ濾過部材を固定配置したことを特徴とするストレーナ装置。
【請求項３】
先端にノズルを接続した配管の中に、流入側を閉鎖すると共に流出側を開口し、長手方向に合成樹脂製の網目部と蛇腹部と交互に連設した屈曲性をもつ筒形のストレーナ濾過部材を固定配置したことを特徴とするストレーナ装置。